(57)【要約】【課題】  この考案は額縁の裏板の周縁部を、縁辺の溝へ、前後摺動自在に嵌挿し、前記裏板を常時表側へ弾力的に押圧し、前記縁片と、裏板の周縁との間に掲示物を挟着固定できるようにしたことを目的としたものである。【解決手段】  この考案は、額縁の裏板の周縁を縁辺の溝内へ前後摺動自在に収容し、縁返の溝壁との間へ裏板を表側へ加圧できる板ばねを介装することによって前記課題を解決した。【選択図】  図２
0003141711.tif 000002
【実用新案登録請求の範囲】
【請求項１】
断面コの字型の溝を有する枠片の前記溝を内向きにして周辺を形成した額縁において、
前記溝に裏板の周辺を前後摺動可能に遊嵌し、前記裏板の裏面周辺縁と前記枠片の溝の内壁との間に、両端部へ補強部を設けたアーチ状の板ばねを介装したことを特徴とする額縁。
【請求項２】
断面コ字型の溝を有する枠片の前記溝を内向きにして周辺を形成した額縁において、
前記溝に表面をホワイトボード加工した裏板の周辺を前後摺動可能に遊嵌し、
前記裏板の裏面周辺縁と前記枠片の溝の内壁との間に、両端部を折り返しした補強部を設けたアーチ状の板ばねを介装したことを特徴とする額縁。
【請求項３】
断面コ字型の溝を有する枠片の前記溝を内向きにして周辺を形成した額縁において、
前記溝に表面をホワイトボード加工した裏板の周辺を前後摺動可能に遊嵌し、
前記裏板の裏面周辺縁と前記枠片の溝の内壁との間に、両端部を折り返した補強部を設けると共に、頂部に摘み用の突起を設けたアーチ状の板ばねを介装したことを特徴とする額縁。
【請求項４】
断面コ字型の溝を有する枠片の前記溝を内向きにして周辺を形成した額縁において、
前記溝に表面をホワイトボード加工した裏板の周辺を前後摺動可能に遊嵌し、
前記裏板の裏面周辺縁と前記枠片の溝の内壁との間に、両端部を折り返した補強部を設けると共に、頂部に突起及び頂部の両側又は一側に突出したつまみ片を設けたアーチ状の板ばねを介装したことを特徴とする額縁。
【請求項５】
断面コ字型の溝を有する枠片の前記溝を内向きにして周辺を形成した額縁において、
前記溝に表面をホワイトボード加工した裏板の周辺を前後摺動可能に遊嵌し、
前記裏板の裏面周辺縁と前記枠片の溝の内壁との間に、Ｔ字形の合成樹脂板のＴ字の横棒部分をアーチ形に形成し、Ｔ字の縦棒部分をアーチ形の片側半分の形状に形成し、該縦棒部分の端部を折り返しして補強部とすると共に、前記補強部に垂直な突起を設けてつまみ片とした変形板ばねを介装したことを特徴とする額縁。
【請求項６】
断面コ字型の溝を有する枠片の前記溝を内向きにして周辺を形成した額縁において、
前記溝に表面をホワイトボード加工した裏板の周辺を前後摺動可能に遊嵌し、
前記裏板の裏面周辺縁と前記枠片の溝の内壁との間に、Ｔ字形の合成樹脂板のＴ字の横棒部分をアーチ形に形成し、Ｔ字の縦棒部分をアーチ形の片側半分の形状に形成し、前記アーチの各端部を折り返しして補強部とすると共に、前記前記縦棒部分の補強部へ垂直に突起を設けてつまみ片とした変形板ばねを介装したことを特徴とする額縁。
【考案の詳細な説明】
【技術分野】
【０００１】
この考案は、額縁に関する。さらに詳細には、裏板を掲示物側へ押圧するアーチ状のプラスチック製の板ばねを使用して、額縁と裏板周辺との間に掲示物の着脱を、極めて簡易に挟み込み且つ、着脱自在にすることができるようにした額縁に関する。
【背景技術】
【０００２】
従来、標準的な額縁では、その掲示物の着脱を行うことは、非常に面倒な手間のかかる構造のものが多い。代表的な事例を示せば、壁面から額縁を外して、裏板の止金又は止めねじ等を外し、裏板を外し、掲示してあった掲示物を額縁から取外し、次いで、次の掲示物を額縁の裏板の上に交換装着し、なお且つ、これの脱落防止手段が必要であり、裏板を嵌め、裏板の止金又は止めねじ等を固定すると言う手間の掛る面倒な作業を必要としていた。
【０００３】
また、概して、裏板の押圧力の弱いものが多く、掲示中に掲示物のずれや落下等の不都合の発生が多く見られた。
【０００４】
上記の状況に鑑み、これを解消する為の手段が多数提案されている。
【０００５】
例えば、板ばねを枠辺に設けた溝に挿入して、裏板を押える構成としたものが知られている（特許文献第１頁参照）
また、弓形に湾曲した帯状板ばねに額縁の枠辺に固定するための掛止溝と、つまみ部を設けた額縁用裏板押え具の提案が知られている（特許文献２第１頁参照）。
【特許文献１】実開昭６０−１４６４６１号
【特許文献２】実公昭６３−５５９５号
【考案の開示】
【考案が解決しようとする課題】
【０００６】
現在、ポスター等のように掲示期間が限定されていたり又は短期間掲示して、次の掲示物と頻繁に取替えを必要とする掲示物の場合、掲示板を使用する場合が多いが、掲示板はポスター等の掲示物を、掲示板へ簡便で且つ、確実な固定方法が見当たらない。
【０００７】
掲示板への固定手段は、通常、止ピン、接着剤等が用いられている。止めピンは固定が不十分で、風で煽られて剥れてしまうという不都合があり、また接着剤等を用いる場合、固定効果は十分であるが、掲示終了後の接着剤等の除去に手間が掛かり、面倒であるばかりでなく、十分な除去ができず、掲示板を汚してしまう結果となる。
【０００８】
そこで、ポスター等の短期の掲示期間で、頻繁に取替えの必要がある掲示物を簡便に着脱でき且つ、その固定効果が確実な掲示手段が求められている。その他、表側にガラス等のある額縁等が用いられることもある。
【０００９】
また、前記の額縁等を使用する場合、これのポスター等の着脱に手間が掛かり、また、比較的弱い力で、裏板を押し付けているので、これの固定・保持のため、掲示物の四囲にやや幅の広い押え代を必要としている。
【００１０】
その結果、掲示物の周辺部が枠辺により覆われ、掲示物の一部が欠けた状態で掲示せざるを得ず、ポスター製作者の製作意図を十分に実現できないと言う問題点があった。
【００１１】
また、特に大判のポスター等では、撓み又はずれ等が発生するから、ポスター等を裏板に接着剤等でしっかり貼り付けることが不可欠である。
【００１２】
このため、裏板に発泡性ウレタン材、化学繊維を加工したもの等を用いて、掲示物を裏板に接着剤等で貼るが、掲載期間経過後に、この接着剤等の除去は現時点では難しい。
【００１３】
従って、接着剤で貼った裏板の再利用は難しく、殆どそのまま廃棄しているのが現状である。
【００１４】
その結果、大きな裏板は、大量な廃棄物となり、環境へ大きな負荷を与えるばかりでなく、且つ資源の無駄使いとの観点から、昨今の社会情勢に鑑み、大きな問題点である。
【課題を解決するための手段】
【００１５】
この考案は、ポスター等の掲示に適した額縁を提供することを目的とした。
【００１６】
即ち、この考案は、ポスター等のように短期間に頻繁に取替えを必要とする掲示物に関し、掲示板又は額縁等への装着又は交換の際の面倒な作業を省略し、簡便な操作で掲示物の脱着ができる額縁を提供するものである。
【００１７】
この考案の額縁は、各枠片に額縁の中心部に向う方向に開口したコの字型の溝を設け、裏板が手前方向及び後方向へ摺動可能に設けた溝に遊嵌した構造とした。
【００１８】
さらに裏板を手前方向に移動させ、各枠片に設けてある溝内壁面と裏板の裏面とで形成される隙間に、アーチ状の板ばねを各枠辺の隙間に適宜挿入して、その反発力で裏板を押圧固定し、掲示物を各枠辺の溝壁面と裏板の表側で挟持する構造にして、前記課題を解決した。
【００１９】
即ち、この考案は、断面コの字型の溝を有する枠片の前記溝を内向きにして周辺を形成した額縁において、前記溝に表面をホワイトボード加工した裏板の周辺を前後摺動可能に遊嵌し、前記裏板の裏面周辺縁と前記枠片の溝の内壁との間に、両端部へ補強部を設けたアーチ状の板ばねを介装したことを特徴とする額縁であり、また、断面コ字型の溝を有する枠片の前記溝を内向きにして周辺を形成した額縁において、前記溝に表面をホワイトボード加工した裏板の周辺を前後摺動可能に遊嵌し、前記裏板の裏面周辺縁と前記枠片の溝の内壁との間に、両端部を折り返しした補強部を設けたアーチ状の板ばねを介装したことを特徴とする額縁である。さらに、断面コ字型の溝を有する枠片の前記溝を内向きにして周辺を形成した額縁において、前記溝に表面をホワイトボード加工した裏板の周辺を前後摺動可能に遊嵌し、前記裏板の裏面周辺縁と前記枠片の溝の内壁との間に、両端部を折り返した補強部を設けると共に、頂部に突起を設けたアーチ状の板ばねを介装したことを特徴とする額縁であり、断面コ字型の溝を有する枠片の前記溝を内向きにして周辺を形成した額縁において、前記溝に表面をホワイトボード加工した裏板の周辺を前後摺動可能に遊嵌し、前記裏板の裏面周辺縁と前記枠片の溝の内壁との間に、両端部を折り返した補強部を設けると共に、頂部に突起及び頂部の両側又は一側に突出したつまみ片を設けたアーチ状の板ばねを介装したことを特徴とする額縁でもある。
【００２０】
また、断面コ字型の溝を有する枠片の前記溝を内向きにして周辺を形成した額縁において、前記溝に表面をホワイトボード加工した裏板の周辺を前後摺動可能に遊嵌し、前記裏板の裏面周辺縁と前記枠片の溝の内壁との間に、Ｔ字形の合成樹脂板のＴ字の横棒部分をアーチ形に形成し、Ｔ字の縦棒部分をアーチ形の片側半分の形状に形成し、該縦棒部分の端部を折り返しして補強部とすると共に、前記補強部に垂直な突起を設けてつまみ片とした変形板ばねを介装したことを特徴とする額縁であり、断面コ字型の溝を有する枠片の前記溝を内向きにして周辺を形成した額縁において、前記溝に表面をホワイトボード加工した裏板の周辺を前後摺動可能に遊嵌し、前記裏板の裏面周辺縁と前記枠片の溝の内壁との間に、Ｔ字形の合成樹脂板のＴ字の横棒部分をアーチ形に形成し、Ｔ字の縦棒部分をアーチ形の片側半分の形状に形成し、前記アーチの各端部を折り返しして補強部とすると共に、前記前記縦棒部分の補強部に垂直な突起を設けてつまみ片とした変形板ばねを介装したことを特徴とする額縁でもある。
【００２１】
この考案では、掲示物の脱着方法は、前記隙間に板ばねを挿入してセットした後、掲示物を額縁の表側から装脱する構成とした。
【００２２】
即ち、前記の板ばねをセットした後、額縁の表側を上向きにして、水平面に置き、裏板を強く下方へ押し下げると、裏板と各枠片の溝内壁面との間に隙間が生じ、この隙間に掲示物の端部を差し込み、裏板の表側に配した後、押し下げている力を抜くと、板ばねの反発力で、掲示物の四囲の端部が、各枠片の溝内壁面と裏板の表側面とで挟持される。
【００２３】
換言すると、額縁の表側から、裏板を押し下げ、できた隙間に掲示物を挟むという極めて簡単な操作で額縁に掲示物を装着できる。
【００２４】
また、掲示物の取り外しも裏板を下方に押し下げて隙間を作り、掲示物を取り外せばよい。掲示物の交換も前記の操作を繰り返せばよい。
【００２５】
この考案では、裏板と各枠片との間で強い挟持力を発揮する構成にしたものであるから、掲示物の四囲の押え代が、極度に少なくても（２〜３ｍｍ程度あればよい）、掲示物の固定を確実に行うことができ、窓あきの掲示物の押え板等を使用しない構成とし、掲示物の四囲が額縁に隠されて仕舞う部分を極度に少なくすることをも併せ目的とした。
【００２６】
また、この考案は、通常の額縁と異なり、額縁の窓に板ガラス又は透明なアクリル板等を使用しない構成であるが、掲示物の表面側へ透明板を重ねて掲示物とし、この掲示物を前記要領で挟着固定することを妨げない。
【００２７】
従って、絵画等長期間に亘り掲示するものについては、埃が付くから長期間継続して掲示するものには適さない。
【考案の効果】
【００２８】
この考案によれば、掲示物の脱着は、額縁の表側から行うことができるので、額縁の表側を上にして、水平に置き、裏板を額縁の表側から下方に押し下げて枠片と裏板との間に隙間を作り、その隙間に掲示物を挟むという極めて簡単な操作で、額縁に掲示物の脱着ができる効果がある。
【００２９】
また、アーチ状の板ばねを採用したので、裏板を押し下げて隙間を作ることが容易であるから、接着剤、固定器具等を用いないで、掲示物を損なうことなく脱着できる。
【００３０】
この考案によれば、強い板ばねの反発力を利用するので、強い挟持力が得られ、掲示物の四囲を僅かな幅を抑えるだけで挟持でき、掲示物の四囲を押え代として枠片に隠される部分が少なく、掲示物の欠ける部分が少なくて済む効果がある。
【００３１】
また、この額縁では、大判のポスターでも、接着剤等を使用しなくとも、掲示ができ、コストが安くて済む。また、掲示物に皺等を生じるおそれがなく綺麗な状態で掲示でき、見栄えが良く掲示効果が大きい。
【００３２】
この考案では、大判の掲示物の場合であっても、裏板に接着剤を使用しないから、掲示物の交換の都度、裏板を廃棄しなくて済み、繰返し使用ができるので、コストが安くなり、さらに加えて、廃棄する裏板の発生がなく、環境に負荷を与えないなどの効果もある。
【００３３】
また、裏板の固定に合成樹脂製の板ばねを採用したので、額縁全体を軽量化でき、壁面に設ける額縁吊下又は固定用金具が小さくて済み、壁面の損傷が少ない効果もある。
【００３４】
さらに、この考案の額縁は、裏板と枠片との間で強い挟持力を発揮するので、掲示物のずれ又は落下等のトラブルが殆ど発生しない効果もある。
【００３５】
また、裏板の表面を、いわゆるホワイトボードに加工したので、全面を額縁として使用しない場合には、表面の一部又は全部を、そのまま通常のメッセージボードとして活用できる。市販のホワイトボード用筆記用具で、記載ができる。
【００３６】
板ばねの使用個数及び使用位置を調節することにより、掲示物に応じて、挟持力の強さを自在に調整することができるなどの効果もある。
【考案を実施するための最良の形態】
【００３７】
額縁１の枠片２ａ、２ｂ、２ｃ、２ｄの素材は、木製、金属製、合成樹脂製、紙製、古紙又は木屑を圧縮成形したもの等通常額縁の材料として使用されているものであれば、何れの素材のものでも使用できる。
【００３８】
次に裏板４の素材は、木製、金属製、合成樹脂製、紙製、古紙又は木屑を圧縮成形したもの等通常裏板の材料として使用されているものであれば、何れの素材のものでも使用できる。
【００３９】
また、裏板４の表面４ａは、いわゆるホワイトボードに加工してあれば、額縁として掲示物を掲示しない場合又は掲示物が小さい場合には、メッセージボードとして使用することができる。
【００４０】
ホワイトボードの加工は、常法で行えば十分である。
【００４１】
額縁１と裏板４は、軽い素材同士の組合わせが好ましく、その結果、額縁１の軽量化が図られ、壁面に設ける額縁１の吊下又は固定用金具が小さなもの間に合うから、壁面の損傷が少なくて済む。
【００４２】
次に、この考案の構造について説明する。
【００４３】
額縁１の４つの枠片２ａ、２ｂ、２ｃ、２ｄに額縁１の中心方向に開口した、裏板４を遊嵌する溝３を設けてある。溝３の幅は、裏板４が額縁１の手前方向又は後方向へ摺動可能な幅とし、且つ板ばね５を挿入できる幅が必要である。
【００４４】
溝３の深さは、遊嵌した裏板４を手前方向又は後方向に摺動させた場合に、裏板４が溝３から容易に脱落しない程度の深さで、且つ挿入する板ばね５を弾力的に収納できる幅を考慮した深さが必要である。
【００４５】
前記の溝３の幅及び深さの設定は、あらかじめ裏板４の厚さ、板ばね５の弾性変形する大きさ等を考慮して、適宜な寸法に設計・設定する必要がある。
【００４６】
裏板４の押え具として、長方形の合成樹脂板をアーチ状に湾曲させ、アーチの頂部６を上側にして、該補強部７、７ａで水平面に置ける形状に形成した板ばね（以下「板ばね５」という。）を使用する。
【００４７】
前記の板ばね５は、単に、長方形の合成樹脂板をアーチ型に曲げただけの形状のものである。
【００４８】
この考案は、裏板４を額縁１の手前方向へ摺動させた際に、裏板４と前記各枠片２ａ、２ｂ、２ｃ、２ｄの溝３の内壁面との間に生ずる隙間に、板ばね５を挿入して、板ばね５のアーチ状の頂部６が各枠辺２ａ、２ｂ、２ｃ、２ｄの溝３の内壁面を押し、板ばね５の両端部に設けてある裏板４の補強部７、７ａが、夫々裏板４の裏面４ｂを押し、全体として額縁１の表側方向へ押圧力が常時働く状態に構成したものである。
【００４９】
即ち、板ばね５の頂部６、補強部７、７ａとの３接点で生ずる板ばね５の反発力を利用し、裏板４を、各枠片２ａ、２ｂ、２ｃ、２ｄの溝３の内壁面に押圧し、額縁１の各枠片２ａ、２ｂ、２ｃ、２ｄに設けた溝３の内壁面と裏板４の表側４ａとの間に配置した掲示物１０を挟持する構成のものである。
【００５０】
この板ばね５を、少なくとも各枠片２ａ、２ｂ、２ｃ、２ｄに１個宛、必要に応じで適宜の個数を使用すれば、必要とする挟持力が得られ、額縁１の各枠片２ａ、２ｂ、２ｃ、２ｄに裏板４が押圧支持される。
【００５１】
さらに、安定性を増した裏板４の押え具として、長方形の合成樹脂板をアーチ状に湾曲させ、且つ両端部を折り返して両端部を補強部とし、アーチの頂部６を上側にして、該補強部で水平面に置ける形状に形成した板ばねを使用することもできる（図示していない）。
【００５２】
また、アーチの頂部６から水平方向に左右両側に突出片を設けて、つまみ片６、６ａとすることもできる。つまみ片６、６ａは、一側にのみに設けても良い。
【００５３】
さらに、アーチの頂部６の中心点に突起８を設けて、板ばね５の滑り止めの効果を与える構成にしてもよい。
【００５４】
また、板ばね５は、板ばね５全体に弾力性及び柔軟性を一層付与するために、板ばね５のアーチの頂部６、補強部７、７ａ及び板ばね５の長手方向の両側端部を除いた部分を、肉薄にする肉薄部９を設けても良い。原料の節約と機能の向上を実現することができる。
【００５５】
板ばね５の材質は、強度と剛性・反発力のある合成樹脂であれば何れのものでもよい。
【００５６】
板ばね５は、前記の形状に合成樹脂で一体成形したものである。合成樹脂の原料として、例えば、ＡＳ樹脂、ＡＢＳ樹脂、ポリカーボネート樹脂、アクリル樹脂、フェノール樹脂等が挙げられる。
【００５７】
板ばね５を金属製のものとすることも出来るが、額縁１の全体が重くなるので、合成樹脂製のもの方が好ましく、コストの観点からも好ましい。
【００５８】
裏板４の装着は、枠片２ａ、２ｂ、２ｃ、２ｄの何れかの１枠片を取り外して置き、裏板４を溝３に挿入・遊嵌した後に、取り外した枠片を嵌めた後、螺子等で固定する構造である。
【００５９】
額縁１の組み立ては、枠片２ａ、２ｂ、２ｃ、２ｄを螺子止め等で組み立てる。その他の常用の手段が採用することができる。
【００６０】
額縁１の溝３に遊嵌した裏板４は、枠片２ａ、２ｂ、２ｃ、２ｄの何れか一つを取り外さない限り、取り外せない構造である。
【００６１】
裏板４を取り外す場合は、枠片２ａ、２ｂ、２ｃ、２ｄ何れか一つを取り外し、裏板４を引き出すと取り外すことができ、通常に使用する場合、裏板４を取り外す必要はなく、裏板４を溝３へ遊嵌した状態のまま、繰返し使用することができる。
【００６２】
次に、この額縁１の使用方法について説明する。
【００６３】
この考案では、掲示物１０の着脱を、額縁１の表側から行うこと及び額縁１の窓に板ガラス又は透明なアクリル板等を使用しないことが特徴をなす。
【００６４】
この額縁１の、掲示物１０の着脱方法を説明する。
【００６５】
額縁１に遊嵌してある裏板４を、額縁１の手前方向へ摺動させると、額縁１の裏側の各枠片２ａ、２ｂ、２ｃ、２ｄに設けられた溝３の内壁面と、裏板４との間に隙間ができる。
【００６６】
次いで、この隙間に板ばね５を挿入する。板ばね５は、弾力性に富んでいるから、力を加えて押し込むと、変形された状態で、前記隙間に簡単に挿入できる。
【００６７】
この板ばね５を順次、各枠片２ａ、２ｂ、２ｃ、２ｄにより形成された隙間に挿入してセットする。
【００６８】
次に、額縁１の表側を上向きにして平面に置き、裏板４を強く下方へ押し下げると、裏板４と各枠片の２ａ、２ｂ、２ｃ、２ｄと、溝３の内壁面との間に隙間が生じるから、この隙間に掲示物１０を挿入し、裏板４の表側４ａに適宜の位置に配置した後、裏板４を下方に押し下げている力を抜くと板ばね５の反発力で、裏板４の全体が上方向へ押戻され、掲示物１０の四囲の端部が、各枠片２ａ、２ｂ、２ｃ、２ｄの溝３の内壁面と裏板４の表側４ａで挟持される。
【００６９】
換言すると、裏板４を下方に押し下げた状態にして、その出来た隙間に掲示物１０を挿入して裏板４の表側４ａに掲示物１０を配置するという極めて簡単な操作で、額縁１に掲示物１０を装着できる。
【００７０】
この考案の額縁１の構造では、板ばね５が裏板４を常に前方に押し出す力が働いているので、掲示物１０の挟持する機能が維持される。
【００７１】
また、掲示物１０の取り外しも、額縁１の表側を上向きにして水平に置き、裏板４を下方に押し下げ、掲示物１０を取り出せば簡単に取り外すことができ、掲示物１０の交換も前記の操作を繰り返せばよい。
【００７２】
また、押圧力の調整は、額縁１の大きさに応じ、必要であれば、適宜、板ばね５の大きさ、板ばね５の挿入する個数等を増減すればよい。
【００７３】
この板ばね５は、掛止部等を設けていないので、前記隙間のどのような位置にも挿入でき、裏板４を額縁１の手前方向へ押圧する押圧力の調整ができ、誰でも掲示物の着脱できる簡便な構成である。また、殆ど使用上及び着脱操作の失敗及び故障を生じるおそれがない。
【００７４】
また、板ばね５が折損した場合には、別の板ばね５と交換すれば済むことになる。従って、板ばね５は、使用する額縁１の大きさ、溝３の幅及び裏板４の厚み等を勘案して、適宜設計して板ばね５の大きさ、反発力の強度を決定することができ、大判の掲示物１０であっても充分対応できる。
【００７５】
大判の額縁１以外の標準的な寸法の額縁１を使用する場合、大、中、小の板ばね５を、あらかじめ用意して置けば、殆どの場合間に合わせることができる。
【００７６】
標準寸法でない大判の額縁１を用いる場合は、それに適合した板ばね５を設計し作成する必要があるのは当然である。
【００７７】
即ち、大判の額縁１を使用する場合は、掲示物１０に対する挟持力を高めるため、平面図がＴ字形の変形板ばね１１を使用するのが好ましい。
【００７８】
Ｔ字形の合成樹脂板のＴ字の横棒部分をアーチ形に形成してアーチ部１２とし、アーチ部の補強部７ｂ、７ｃとする。これは、単に、長方形の合成樹脂板をアーチ型に曲げただけの形状のものである。
【００７９】
変形板ばね１１の補助脚１３として、Ｔ字の縦棒部分をアーチ型の片側半分部分の形状に形成すると共に、端部を折り返して補強部７ｄとし、前記補強部７ｄに垂直な突起を設けてつまみ片６ｃとする
即ち、アーチ状の板ばね５に、補助脚１３を附加した構造にする。いわゆる３本足の変形板ばね１１を用いる。
【００８０】
この３本足の変形板ばね１１は、水平面への接点が、アーチ部の両端部の補強部７ｂ、７ｃと補助脚１３の端部の補強部７ｄとの３点あるので、安定性が極めて高く且つ、変形率も大きく、反発力も大きい。
【００８１】
さらに、安定性を増すため、Ｔ字形の合成樹脂板のＴ字の横棒部分をアーチ形に形成してアーチ部１２とし、アーチ部１２の両端部を折り返して、補強部を形成する。
【００８２】
変形板ばね１１の補助脚１３として、Ｔ字の縦棒部分をアーチ型の片側半分部分の形状に形成すると共に、端部を折り返して補強部７ｄとし、前記補強部７ｄに垂直な突起を設けてつまみ片６ｃとする構成にしても良い（図示していない）。
【００８３】
即ち、この変形ばねは頂部を上にして、３本脚の端部全部を折り返して補強部を設けて、水平面に安定して置ける形状にしたものである。
【００８４】
大判の額縁の場合、使用する額縁１の大きさに合わせて、あらかじめ設計した大きさの変形板ばね１１を用意する必要がある。また、この変形板ばね１１に於いて、前記の板ばね５と同様に肉薄部９を設けてある。
【００８５】
また、合成樹脂製の板ばね５及び変形ばね１１は、金属製の板ばねと比較して、変形率が高く、且つ復元力も大きいので、適宜の大きさのものを選択して使用すれば、十分な押圧力が得られ、掲示物に対する強い挟持力が生ずる。従って、掲示中に掲示物１０が外れたり、脱落事故等を生じることは殆ど発生しない。
【００８６】
また、額縁１として使用しないとき、裏板４の表側４ａは、いわゆるホワイトボードと同様な機能を備えた表面加工を施したものとした。額縁１の窓に、板ガラス又は透明なアクリル板を設けていないので、市販の水性筆記用具を用いれば、そのままメッセージボードとしても使用できる。
【実施例１】
【００８７】
ポスター（紙のサイズ）の寸法は、縦３７４ｍｍ、横２８４ｍｍである。
【００８８】
額縁１は、外寸で、縦３８２ｍｍ、横２９２ｍｍ、厚さ２４ｍｍであり、アルミニウム製の枠辺２ａ、２ｂ、２ｃ、２ｄを採用した。この額縁の窓は、縦３７０ｍｍ×２８０ｍｍである。
【００８９】
この考案の実施例を図１、図2に基づいて説明すると額縁１は、各枠片２ａ、２ｂ、２ｃ、２ｄに額縁１の内側方向に開口したコの字型の溝３を設け、裏板４の四周辺が前記溝３内へ前後方向に摺動可能に遊嵌した構造とした。前記枠片２ａ、２ｂ、２ｃ、２ｄの組み立て固定は、螺子を使用し、溝３の幅は１４ｍｍ、深さは１１ｍｍである。
【００９０】
前記裏板４は、縦３７８ｍｍ、横２８８ｍｍ、厚さ３ｍｍの市販の紙製の圧縮ボードを使用し、裏板４の表側４ａには、いわゆるホワイトボードと同様な機能を備えた表面加工（ホワイトボード加工という）を施したものとしたので、市販の水性の筆記用具を使用すれば、これをメッセージボードとしても使用することができる。
【００９１】
額縁１の溝３に裏板４を、手前方向、奥方向に移動可能に遊嵌して、枠片２ａ、２ｂ、２ｃ、２ｄを組み立てる。
【００９２】
前記合成樹脂製の板ばね５は、長方形のＡＢＳ樹脂板をアーチ状に形成して、長さ８２ｍｍ、幅１８ｍｍ、高さ１２ｍｍ、厚さ３ｍｍのアーチ状ものを作成した。板ばね５の両端部の２ｍｍの個所を谷折りにし、水平になる様に曲げて、裏板押圧足を設けた。
【００９３】
また、板ばね５のアーチの頂部、補強部７、７ａ及び板ばね５の長手方向の両側端部を除いた部分を、２．３ｍｍの肉薄にした薄肉部を９設けてある。
【００９４】
上記の形状のものを合成樹脂で一体成形したものである。前記板ばね５は、各枠片２ａ、２ｂ、２ｃ、２ｄに夫々２個宛用いた。この考案の額縁では、額縁の窓側（表側）からポスターを装着する。
【００９５】
額縁１の窓を上に向けて水平に置き、裏板４全体を下方向へ押し下げて、裏板４と額縁１との間に出来た隙間に、ポスターを挿入すると共に、裏板の表面４ａ上に、裏板４からはみ出さないように配置し、押している手を離すとポスターが額縁に装着された。
【００９６】
前記実施例１の額縁１では、ポスターの四囲端部を夫々２ｍｍ幅に挟持してポスターを額縁に固定できた。前記各部の寸法及び材質は実施例に限定することなく適宜採用する。
【実施例２】
【００９７】
実施例１記載の板ばね５のアーチ頂部６中心点に高さ０．２ｍｍの突起８を設けたものを作成した。その他は実施例1と同様に付説明を省略した。
【実施例３】
【００９８】
実施例２記載の板ばね５のアーチの頂部６両側に、水平方向に突出した長さ２ｍｍのつまみ片６ａ、６ｂを設けたものであるが、その他の構造は実施例1と同様に付詳細な説明は省略した。
【実施例４】
【００９９】
実施例１で得られた額縁１に掲示物１０として、ポスターを選択し、板ばね５を、枠片２ａ、２ｂ、２ｃ、２ｄの各長片には３個宛、各短片には各２個宛挿入して、裏板４を固定したもので、その他は実施例1と同一に付詳細な説明は省略した。
【実施例５】
【０１００】
実施例１記載の額縁１と同じ構造の大判のポスター（紙サイズＡ０判）を掲示する額縁を作成した。大判のポスターの大きさは、縦１１８９ｍｍ×横８４１ｍｍである。
【０１０１】
額縁１は、外寸で、縦１２１９ｍｍ、横８７１ｍｍ、厚さ２３ｍｍであり、アルミニウム製の枠辺２ａ、２ｂ、２ｃ、２ｄを採用した。この額縁の窓は、縦１１８３ｍｍ×８３５ｍｍであり、組み立て固定は、螺子を使用した。
【０１０２】
また溝３の幅は１１ｍｍ、深さは１２ｍｍであり、裏板４は、紙製の圧縮ボードの板で、縦１２１５ｍｍ、横８６７ｍｍ、厚さ３ｍｍで、市販のものを使用した。
【０１０３】
次に、裏板４の表側４ａには、いわゆるホワイトボードと同様な機能を備えた表面加工を施したものとしたので、市販の水性の筆記用具を使用すれば、これをメッセージボードとしても使用することができるが、これに使用するＴ字形の変形板ばね１１を使用した。
【０１０４】
前記Ｔ字形の合成樹脂板のＴ字の横棒部分をアーチ型にしてアーチ部１２とし、アーチ部１２の両端部をやや谷折りにして、補強部７ｂ、７ｃとする。さらに、Ｔ字の縦棒部分をアーチ型の片側半分の形状に形成して、補助脚１３とし、補助脚１３の端部を折り返して、補強部７ｄを設け、該補強部７ｄの上向きに突起を設けてつまみ片６ａとする。
【０１０５】
Ｔ字の横棒部分をアーチ部１２は、長さ７３ｍｍ、幅８ｍｍ、高さ２０ｍｍで、Ｔ字の縦棒部分をアーチ型の片側半分の補助脚１３は、長さ４０ｍｍ、幅８ｍｍ、高さ２０ｍｍである。いわゆる３本足の変形板ばね１１を作成しこれを用いる。また、原材料の合成樹脂は、ＡＢＳ樹脂を使用した。
【０１０６】
前記３本足の変形板ばね１１は、水平面への接点がアーチ部１２の両端部に補強部７ｂ、７ｃと、補助脚１３の補強部７ｄとの３点があるので、３つの支点で支持して裏板４を押圧するから、安定性が高く且つ、変形率が高く、従って反発力も大きいものが得られる。
【０１０７】
この考案の額縁では、額縁の窓側（表側）からポスターを装着する。
【０１０８】
前記額縁１の窓を上に向けて水平に置き、裏板４全体を下方向へ押し下げて、裏板４と額縁１との間に出来た隙間に、ポスターを挿入すると共に、裏板の表面４ａ上に、裏板４からはみ出さないように配置し、押している手を離すとポスターが額縁に装着された。
【０１０９】
この実施例１の額縁では、ポスターの四囲端部を夫々３ｍｍ幅に挟持してポスターを額縁に固定できた。装着したポスターに皺、弛みは発生しなかった。大判の額縁として、充分、実用に耐えるものが得られた。
【図面の簡単な説明】
【０１１０】
【図１】（ａ）は、この考案の実施例の額縁の正面図、（ｂ）は同じく背面図、（ｃ）は同じく左側面図。
【図２】（ａ）は同じく、板ばねを装着した状態を示す額縁の一部断面拡大斜視図。
【０１１１】
（ｂ）は同じく板ばねの拡大斜視図。（ｃ）は、同じく板ばねを装着した状態の額縁の一部断面拡大図。
【図３】（ａ）は同じく掲示物を装着していない状態の図１中Ａ−Ｂの枠片一部断面拡大図。（ｂ）は同じく掲示物を装着した状態の図1中Ａ−Ｂの枠片一部断面拡大図。
【図４】（ａ）は、同じく変形板ばねの拡大平面図。（ｂ）は、同じく変形板ばねの拡大側面図。（ｃ）は同じく変形板ばねの拡大正面図。（ｄ）は同じく板ばねの拡大平面図。（ｅ）は同じく板ばねの拡大側面図。（ｆ）は同じく板ばねの拡大正面図。
【符号の説明】
【０１１２】
１  額縁
２ａ、２ｂ、２ｃ、２ｄ  枠片
３  溝
４  裏板
４ａ  裏板表側
４ｂ  裏板裏側
５  板ばね
６  頂部
６ａ、６ｂ、６ｃ  つまみ片
７、７ａ、７ｂ、７ｃ、７ｄ  補強部
８、８ａ  突起
９  肉薄部
１０  掲示物
１１  変形板ばね
１２  アーチ部
１３  補助脚
【図１】
0003141711.tif 000003
【図２】
0003141711.tif 000004
【図３】
0003141711.tif 000005
【図４】
0003141711.tif 000006